(57)【特許請求の範囲】
【請求項１】
生体情報を読み取る読取手段、生体情報と識別データを記憶する第１の記憶手段、前記読取手段で読み取った生体情報と前記第１の記憶手段に記憶した生体情報とを比較して個人認証を行う個人認証手段、及び、前記第１の記憶手段に識別データが記憶されているか否かを検出する記憶検出手段を備えた生体認証装置と、
前記第１の記憶手段に記憶した生体情報及び識別データと同一の生体情報及び識別データを記憶する第２の記憶手段を備えたコントロールユニットと、
を備え、
前記コントロールユニットは、さらに、前記記憶検出手段によって識別データが検出された場合、前記第１の記憶手段と前記第２の記憶手段に記憶された生体情報の差分データを確認し、前記第２の記憶手段に差分データを記憶させる複写処理を実行する複写手段を備え、
前記生体認証装置は、さらに、前記記憶検出手段によって識別データが検出されない場合、前記第２の記憶手段に記憶した生体情報と識別データを、前記第１の記憶手段に複写し、前記記憶検出手段によって識別データが検出された場合、前記第１の記憶手段に、前記コントロールユニットで確認された差分データを記憶させる複写処理を実行する他の複写手段を備えたことを特徴とする生体認証システム。
【請求項２】
前記コントロールユニットは、さらに、前記各記憶手段に記憶した識別データが一致しているか否かを判定する判定手段を備え、
前記コントロールユニットの複写手段は、前記判定手段により各記憶手段に記憶した識別データが対応するものでないと判定された場合、前記複写処理を実行不可とすることを特徴とする請求項１に記載の生体認証システム。
【請求項３】
識別データを記憶した第１の記憶手段に生体情報を記憶させる第１の記憶ステップと、
前記第１の記憶手段に記憶させた識別データと同一の生体情報を記憶した第２の記憶手段に前記第１の記憶手段に記憶させた生体情報と同一の生体情報を記憶させる第２の記憶ステップと、
生体情報を読み取る読取ステップと、
前記読取ステップで読み取った生体情報と前記第１の記憶手段に記憶した生体情報とを比較して個人認証を行う個人認証ステップと、
前記第１の記憶手段に識別データが記憶されているか否かを検出する検出ステップと、
前記検出ステップによって識別データが検出されない場合、前記第２の記憶手段に記憶した生体情報を、前記第１の記憶手段に複写する複写ステップと、
前記検出ステップによって識別データが検出された場合、前記第１の記憶手段に記憶されている生体情報と、前記第２の記憶手段に記憶されている生体情報とが一致するか否かを判定し、各生体情報の差分を確認する差分確認ステップと、
前記各生体情報の差分を前記第１の記憶手段と前記第２の記憶手段のそれぞれに記憶させる複写ステップと、
を含む処理をコンピュータに実行させることを特徴とする生体認証方法。
【請求項４】
前記各記憶手段は、同一の識別データをそれぞれ記憶し、
前記複写ステップの前に、前記各記憶手段に記憶した識別データが対応するものであるか否かを判定する判定ステップを実行し、
前記判定ステップで、各記憶手段に記憶した識別データが対応するものでないと判定された場合、前記複写ステップを実行不可とする処理をコンピュータに実行させることを特徴とする請求項３に記載の生体認証方法。
【発明の詳細な説明】
【技術分野】
【０００１】
本発明は、生体認証システム及び生体認証方法に関するものである。
【背景技術】
【０００２】
従来、生体認証システムに採用される生体認証装置として、生体情報を登録・削除する場合、取り込まれたデータが、メモリに登録されているデータと一致しなければ、生体情報を登録・削除するためのスイッチを無効とするものが公知である（例えば、特許文献１参照）。
【０００３】
【特許文献１】特開２００５−２６２号公報
【発明の開示】
【発明が解決しようとする課題】
【０００４】
しかしながら、前記従来の生体認証装置を備えた生体認証システムでは、物理的に損傷したり、供給電圧が不安定となったり、あるいは、不正にアクセスされたりして、記憶したデータが破壊された場合、新たに生体情報を登録し直す必要が生じる。特に、物理的な損傷では、新たに機器を交換しなければならない。
【０００５】
そこで、本発明は、データが消滅された場合のリカバリー性に優れた生体認証システム及び生体認証方法を提供することを課題とする。
【課題を解決するための手段】
【０００６】
本発明は、前記課題を解決するための手段として、
生体認証システムを、
生体情報を読み取る読取手段、生体情報と識別データを記憶する第１の記憶手段、前記読取手段で読み取った生体情報と前記第１の記憶手段に記憶した生体情報とを比較して個人認証を行う個人認証手段、及び、前記第１の記憶手段に識別データが記憶されているか否かを検出する記憶検出手段を備えた生体認証装置と、
前記第１の記憶手段に記憶した生体情報及び識別データと同一の生体情報及び識別データを記憶する第２の記憶手段を備えたコントロールユニットと、
を備え、
前記コントロールユニットは、さらに、前記記憶検出手段によって識別データが検出された場合、前記第１の記憶手段と前記第２の記憶手段に記憶された生体情報の差分データを確認し、前記第２の記憶手段に差分データを記憶させる複写処理を実行する複写手段を備え、
前記生体認証装置は、さらに、前記記憶検出手段によって識別データが検出されない場合、前記第２の記憶手段に記憶した生体情報と識別データを、前記第１の記憶手段に複写し、前記記憶検出手段によって識別データが検出された場合、前記第１の記憶手段に、前記コントロールユニットで確認された差分データを記憶させる複写処理を実行する他の複写手段を備えた構成としたものである。
【０００７】
この構成により、第１の記憶手段が交換されたり、記憶させてあるデータが破壊されたりする等の不測の事態が発生すれば、検出手段によりそのことを検出し、第１の記憶手段に第２の記憶手段に記憶させた生体情報を自動的に複写することができる。したがって、新たに生体情報を登録し直す必要がなく、不測の事態に柔軟に対応することが可能となる。
【００１０】
前記コントロールユニットは、さらに、前記各記憶手段に記憶した識別データが一致しているか否かを判定する判定手段を備え、
前記コントロールユニットの複写手段は、前記判定手段により各記憶手段に記憶した識別データが対応するものでないと判定された場合、前記複写処理を実行不可とするのが好ましい。
【００１１】
この構成により、不正に記憶手段が交換されれば、識別データが不一致となって生体情報の自動複写を実行不可とすることができ、盗難防止性に優れた構成とすることが可能となる。
【００１２】
また、本発明は、前記課題を解決するための手段として、
生体認証方法を、
識別データを記憶した第１の記憶手段に生体情報を記憶させる第１の記憶ステップと、
前記第１の記憶手段に記憶させた識別データと同一の生体情報を記憶した第２の記憶手段に前記第１の記憶手段に記憶させた生体情報と同一の生体情報を記憶させる第２の記憶ステップと、
生体情報を読み取る読取ステップと、
前記読取ステップで読み取った生体情報と前記第１の記憶手段に記憶した生体情報とを比較して個人認証を行う個人認証ステップと、
前記第１の記憶手段に識別データが記憶されているか否かを検出する検出ステップと、
前記検出ステップによって識別データが検出されない場合、前記第２の記憶手段に記憶した生体情報を、前記第１の記憶手段に複写する複写ステップと、
前記検出ステップによって識別データが検出された場合、前記第１の記憶手段に記憶されている生体情報と、前記第２の記憶手段に記憶されている生体情報とが一致するか否かを判定し、各生体情報の差分を確認する差分確認ステップと、
前記各生体情報の差分を前記第１の記憶手段と前記第２の記憶手段のそれぞれに記憶させる複写ステップと、
を含む処理をコンピュータに実行させるものである。
【００１４】
前記各記憶手段は、同一の識別データをそれぞれ記憶し、
前記複写ステップの前に、前記各記憶手段に記憶した識別データが対応するものであるか否かを判定する判定ステップを実行し、
前記判定ステップで、各記憶手段に記憶した識別データが対応するものでないと判定された場合、前記複写ステップを実行不可とする処理をコンピュータに実行させるのが好ましい。
【発明の効果】
【００１５】
本発明によれば、記憶手段に記憶した生体情報が消失したとしても、他の記憶手段に記憶した生体情報を自動的に複写することができるので、煩わしい生体情報登録の手間を省きつつ、リカバリー性に優れた構成とすることが可能となる。
【発明を実施するための最良の形態】
【００１６】
以下、本発明に係る実施形態を添付図面に従って説明する。
【００１７】
図１は、本実施形態に係る生体認証システムを示す。この生体認証システムは、車両に採用され、生体認証装置１と、スマートエントリーコントロールユニット２（以下、コントロールユニットをＣ／Ｕと省略して記載する。）とを備える。また、スマートエントリーＣ／Ｕ２は、ドア開閉スイッチ３（ドア開閉ＳＷ）、ドアロックＣ／Ｕ４、電動ステアリングロック５（電動ＳＴＬ）、エンジンＣ／Ｕ６、スタートスイッチ７（スタートＳＷ）等に接続されている。
【００１８】
生体認証装置１は、図２に示すように、撮像部８（読取手段）、第１記憶部９（第１の記憶手段）、第１電源部１０、第１通信部１１、及び、第１制御部１２（個人認証手段）を備える。
【００１９】
撮像部８は、赤外線照射部１３とカメラ部１４とを備える。赤外線照射部１３は、赤外線を照射するための複数のＬＥＤを有し、これらＬＥＤからは近赤外線が照射され、カメラ部１４にて指の静脈パターンを読み取り可能な状態とする。カメラ部１４は、ＣＣＤ（Charge Coupled Device）カメラ、ＣＭＯＳ（Complementary Metal-Oxide Semiconductor）カメラ等で構成され、近赤外線が照射された指から静脈パターンを読み取る。
【００２０】
第１記憶部９は、車両の使用が許可されたユーザの生体認証情報（ここでは、指の静脈パターン）と、ＩＤ（identification）データとが互いに関連付けて記憶される。また、第１記憶部９には、後述する認証処理を実行するための制御プログラムのほか、生体認証装置１に特有の識別データが記憶されている。識別データには、例えば、生体認証装置１とスマートエントリーＣ／Ｕ２とが初めて接続された最初の起動時に、乱数表等を利用してランダムに設定した機器番号を使用することができる。この識別データは、同時に、後述するスマートエントリーＣ／Ｕ２の第２記憶部１６にも対応するもの（ここでは、同一データ）が記憶され、両機器が対応するものであるか否かの確認に利用される。第１電源部１０は、撮像部８、第１記憶部９、第１通信部１１、及び、第１制御部１２に電力を供給する。
【００２１】
第１通信部１１は、スマートエントリーＣ／Ｕ２との間でデータの送受信を行うためのもので、有線及び無線のいずれでも採用可能である。ここでは、コネクタにより有線接続されている。第１通信部１１は、第１制御部１２で個人認証処理を行った結果をスマートエントリーＣ／Ｕ２に送信する。
【００２２】
第１制御部１２は、前記撮像部８のカメラ部１４で撮影された生体認証情報を、前記第１記憶部９に記憶させた生体認証情報と照合することにより、後述するようにして生体認証処理を実行する。前記静脈パターンは、画像処理により数値化し、記憶部に登録済みの生体情報（同じく数値化されたもの）と比較して登録済みの人物のものであるか否かを判断する。
【００２３】
なお、静脈パターンの数値化は、次のようにして行う。すなわち、指に照射する近赤外線は、酸素を運び終えた、血液中の静脈を流れる還元ヘモグロビンに吸収されやすい。このため、静脈では暗く、静脈以外では明るく撮影される。そこで、各部位での明暗を２進法により「０」又は「１」の数値データに変換する。
【００２４】
スマートエントリーＣ／Ｕ２（コントロールユニット）は、入出力部１５、第２記憶部１６（第２の記憶手段）、第２電源部１７、第２通信部１８、及び、第２制御部１９を備える。
【００２５】
入出力部１５は、ドア開閉ＳＷ３、ドアロックＣ／Ｕ４、電動ＳＴＬ５、エンジンＣ／Ｕ６、スタートＳＷ７、リモコン２０（スマートエントリー装置）、登録ボタン２１、消去ボタン２２等からの出力信号を受け付け、逆に、前記各Ｃ／Ｕに制御信号を送信して所定の動作を行わせる。
【００２６】
ドア開閉ＳＷ３はドアの開閉によりオン・オフ信号を出力する。ドアロックＣ／Ｕ４は、車両のドアに設けたドアロック装置のアクチュエータを駆動制御し、ドアの施錠・開錠を行う。電動ＳＴＬ５は、ステアリングシャフトをロック・アンロックすることにより車両の盗難を防止する。ここでは、スマートエントリーＣ／Ｕ２からの制御信号に基づいて内部のモータが駆動制御され、ステアリングシャフトをロック・アンロックする。エンジンＣ／Ｕ６は、エンジンの始動、停止、及び動作を制御する。スタートＳＷ７は、エンジンを始動するためのスイッチであり、車内のハンドル近傍に設置される。
【００２７】
リモコン２０は、車両のドアの施錠、開錠に利用される。すなわち、ユーザが車両に乗り込んで、ドアハンドルに接触したことが、ドアハンドルに設けた図示しないタッチセンサにより検出され、タッチセンサからオン信号が出力されると、スマートエントリーＣ／Ｕ２によりリクエスト信号が送信される。リモコン２０は、このリクエスト信号を受信し、予め登録された識別信号を送信する。スマートエントリーＣ／Ｕ２は、この識別信号に基づいてドアロックＣ／Ｕ４にアンロック指示信号を出力し、ドアが開錠される。
【００２８】
登録ボタン２１は、生体情報の登録時に利用される。登録ボタン２１を操作すれば、スマートエントリーＣ／Ｕ２から生体認証装置１へと登録モード信号が送信される。そして、撮像部８のカメラ部１４で指の静脈パターンを読み取らせれば、その静脈パターンを生体情報として第１記憶部９に記憶させることができる。また、消去ボタン２２は、生体情報の削除時に利用される。
【００２９】
第２記憶部１６には、車両の使用が許可されたユーザのＩＤデータとその生体情報のほか、前述の識別データが記憶される。
【００３０】
第２電源部１７は、入出力部１５、第２記憶部１６、第２通信部１８、及び、第２制御部１９に電力を供給する。
【００３１】
第２通信部１８は、前記生体認証装置１の第１通信部１１との間でデータの送受信を行う。ここでは、コネクタが使用されている。第２通信部１８からは、電源オン信号やテストモード開始信号等が第１通信部１１に送信され、第１通信部１１からはＩＤデータや生体情報のほか、照合結果等が受信される。
【００３２】
第２制御部１９は、生体認証装置１で生体認証の結果、記憶された生体情報であると判断された場合、その生体情報に関連付けた識別情報であるＩＤデータを、前記第２記憶部１６に記憶させ、ドア開閉ＳＷ３、スタートＳＷ等からの入力信号に基づいて、ドアロックＣ／Ｕ４、電動ＳＴＬ５、エンジンＣ／Ｕ６を駆動制御する。
【００３３】
次に、前記生体認証システムの動作について説明する。
【００３４】
（登録モード）
初期状態では、各記憶部にはデータが記憶されていないので、図３のフローチャートに従って登録モードを実行する。
【００３５】
すなわち、登録ボタン２１が操作されれば（ステップＳ１）、生体情報の登録処理を開始し、後述する通常モードで、マスター認証が実施済みか否かを判断する（ステップＳ２）。マスター認証とは、撮像部８によって読み取られた生体情報と、第１記憶部９にマスターとして記憶した生体情報とを比較し、一致した場合にマスターとして設定された人物の認証が行われたこととするものである。このマスター認証が行われたか否かの判断は、通常モード時、第２記憶部１６に記憶される認証されたＩＤデータを確認することにより行う。つまり、生体情報の登録は誰でも可能なわけではなく、マスターとして設定された人物のみが実施可能となっている。なお、マスターとなる生体情報は、例えば、ディーラーでの専用端末でのみ登録可能とする。これにより、登録ボタン２１が操作されても、マスター認証が行われていなければ（ステップＳ２：ＮＯ）、生体認証を登録できないように警告（ワーニング）処理を実行する（ステップＳ３）。警告処理では、音声やブザーあるいはランプの点灯等により行えばよい。また、無線等の機器を備えたものであれば、車両から離れた他の場所に連絡するように構成することも可能である。マスター認証が行われていれば（ステップＳ２：ＹＥＳ）、スマートエントリーＣ／Ｕ２から生体認証装置１に登録モード信号を送信する（ステップＳ４）。
【００３６】
生体認証装置１では、スマートエントリーＣ／Ｕ２から送信された登録モード信号に基づいて、登録処理を開始する（ステップＳ１１）。すなわち、撮像部８でユーザの指から生体情報（静脈パターン）が読み取られると（ステップＳ１２）、読み取った生体情報を２値・暗号化する（ステップＳ１３）。また、ＩＤデータを作成し、生体情報とＩＤデータとを互いに関連付ける（ステップＳ１４）。そして、生体情報及びＩＤデータを第１記憶部９に記憶させる（ステップＳ１５）。続いて、登録が終了したことを示す登録終了信号のほか、登録した生体情報及びそれに関連付けたＩＤデータをスマートエントリーＣ／Ｕ２に送信する（ステップＳ１６）。そして、次の生体情報の入力があれば（ステップＳ１７）、前記ステップＳ１３に戻って同様の処理を繰り返す。
【００３７】
スマートエントリーＣ／Ｕ２では、生体認証装置１からの送信データを受信し（ステップＳ５）、これを第２記憶部１６に記憶させる（ステップＳ６）。ここで、３０秒間待機し（ステップＳ７）、その間、待ち受け状態を維持する（ステップＳ８）。３０秒経過すれば、生体認証装置１に登録終了信号を送信する（ステップＳ９）。
【００３８】
生体認証装置１では、スマートエントリーＣ／Ｕ２から登録終了信号を受信するか否かにより登録処理を終了するか否かを判断し（ステップＳ１８）、登録終了信号を受信していなければ、待ち受け状態を維持し（ステップＳ１９）、登録終了信号を受信すれば、一連の生体情報登録処理（登録モード）を終了する。
【００３９】
（ゼネラルモード）
スマートエントリーＣ／Ｕ２では、起動後、常に、図４のフローチャートに示すように、データを初期化し（ステップＳ２１）、１０msec毎に、以下の処理を実行する（ステップＳ２２）。
【００４０】
すなわち、入出力部１５で、ドアロックＣ／Ｕ４、電動ＳＴＬ５、エンジンＣ／Ｕ６、スタートＳＷ７等からの出力信号を受け付ける（ステップＳ２３）。そして、受け付けた信号に基づいて、モード判定・遷移部によって該当するモードを実行し（ステップＳ２４）、入出力部１５から該当する機器（ドアロックＣ／Ｕ４、電動ＳＴＬ５、エンジンＣ／Ｕ６等）に制御信号を出力する（ステップＳ２５）。例えば、ドア開閉ＳＷ３からドアが開放状態から閉鎖状態となったことを示す信号が入力されれば、通常モード（エンジンの始動を行うためのモード）を実行し、エンジンＣ／Ｕ６に制御信号を出力する。
【００４１】
（通常モード）
ユーザが車両に乗車してエンジンを始動する場合の処理（通常モード）について、図５及び図６のフローチャートに従って説明する。
【００４２】
スマートエントリーＣ／Ｕ２では、ドア開閉ＳＷ３からドアが開放状態から閉鎖状態になったことを示す信号が入力されれば（ステップＳ４１）、生体認証装置１に対し、電源をオン状態とするための電源オン信号を出力し（ステップＳ４２）、認証モード起動信号を出力する（ステップＳ４３）。
【００４３】
生体認証装置１では、スマートエントリーＣ／Ｕ２からの電源オン信号に基づいてデータを初期化し（ステップＳ６１）、スマートエントリーＣ／Ｕから認証モード起動信号が入力されていれば、認証モード処理を開始する（ステップＳ６２）。
【００４４】
認証モードでは、まず、撮像部８のカメラ部１４で指を撮像可能であるか否かの指検出を行う（ステップＳ６４）。指が検出されれば（ステップＳ６５：ＹＥＳ）、カメラ部１４による撮像を行い（ステップＳ６６）、指が検出されなければ（ステップＳ６７：ＮＯ）、３０秒間、指検出を続行し（ステップＳ６４）、それでも検出されない場合に、認証モードを終了する。
【００４５】
カメラ部１４によって撮像された静脈パターンは、第１制御部１２にて画像処理を行う（ステップＳ６８）。画像処理は、前述の通り、撮像された静脈パターンの明暗に基づいて、各部位（セグメント毎に）を「０」又は「１」の数値データに変換する。そして、得られた結果に基づいて、第１記憶部９に記憶させた生体認証情報と照合する（ステップＳ６９）。照合により得られた結果（照合結果）と、該当する生体認証情報に関連付けたＩＤデータとをスマートエントリーＣ／Ｕ２に送信する（ステップＳ７０）。
【００４６】
スマートエントリーＣ／Ｕ２では、生体認証装置１から送信された照合結果が適切か否か、すなわち、撮像した指の静脈パターンが第１記憶部９に記憶されたものであるか否かの判断を行う（ステップＳ４４）。照合結果が適切である場合（第１記憶部９に記憶されたものである場合）、ＩＤデータの確認後、第２記憶部１６にその認証されたＩＤデータを記憶し（ステップＳ４５）、そのＩＤデータに対応して、ミラー、シート、ステアリング等の各機器に対して制御信号を出力する（ステップＳ４６）。また、スタートＳＷ７がオンされることにより（ステップＳ４７）、電動ＳＴＬ５にＳＴＬ解除信号を送信する（ステップＳ４８）。
【００４７】
電動ＳＴＬ５では、ＳＴＬ解除信号に基づいてステアリングのロック状態を解除し、アンロック状態とする（ステップＳ８１）。そして、スマートエントリーＣ／Ｕ２及びエンジンＣ／Ｕ６にアンロック信号を送信する（ステップＳ８２）。
【００４８】
スマートエントリーＣ／Ｕ２では、電動ＳＴＬ５からのアンロック信号を確認し（ステップＳ４９）、エンジンＣ／Ｕ６にＩＤデータを送信する（ステップＳ５０）。
【００４９】
エンジンＣ／Ｕ６では、電動ＳＴＬ５からのアンロック信号を確認し（ステップＳ９１）、このアンロック信号と、スマートエントリーＣ／Ｕ２からのＩＤデータとに基づいて、ステアリングがアンロック状態にあるか否か、ＩＤデータが適切なものであるか否かを判断する（ステップＳ９２）。いずれかの条件を満足しなければ、通常モードを終了し、両方の条件を満足すれば、エンジンを始動する（ステップＳ９３）。そして、スマートエントリーＣ／Ｕ２にエンジン始動信号を送信する（ステップＳ９４）。
【００５０】
スマートエントリーＣ／Ｕ２では、エンジンＣ／Ｕ６から送信されたエンジン始動信号を確認し（ステップＳ５１）、前記一連の通常モードでの処理を終了する。
【００５１】
（複写モード）
ところで、生体認証装置１が交換された場合等、第１記憶部９が初期状態である場合、あるいは、記憶させたデータがクリアされた場合、図７及び図８のフローチャートに示すようにして複写モードを実行する。
【００５２】
すなわち、転送ボタンが操作されると（ステップＳ１０１）、スマートエントリーＣ／Ｕ２から生体認証装置１に複写モード信号を送信する（ステップＳ１０２）。
【００５３】
生体認証装置１では、複写モード信号を受信することにより複写モードを開始し（ステップＳ１２１）、第１記憶部９に識別データ（ここでは、機器番号）が記憶されているか否かを判断する（ステップＳ１２２）。識別データが記憶されていなければ（ステップＳ１２２：ＮＯ）、スマートエントリーＣ／Ｕ２に複写リクエスト信号を送信する（ステップＳ１２３）。一方、識別データが記憶されていれば（ステップＳ１２２：ＹＥＳ）、その識別データをスマートエントリーＣ／Ｕ２へと送信する（ステップＳ１２５）。
【００５４】
スマートエントリーＣ／Ｕ２では、生体認証装置１から複写リクエスト信号を受信することにより、要求された識別データが第２記憶部１６に記憶されているか否かを判断する（ステップＳ１０３）。また、識別データがあれば、生体情報が記憶されているか否かを判断する（ステップＳ１０４）。識別データが記憶されていないか、あるいは、識別データが記憶されていても生体情報が記憶されていない場合には、警告処理を実行し（ステップＳ１０５）、ブザー等で報知する。いずれのデータも記憶されていれば、識別データ、生体情報及びＩＤデータを生体認証装置１へと送信する（ステップＳ１０６）。
【００５５】
生体認証装置１では、スマートエントリーＣ／Ｕ２から送信された識別データ、生体情報及びＩＤデータを第１記憶部９に記憶させる（ステップＳ１２４）。これにより、スマートエントリーＣ／Ｕ２と同じ識別データが生体認証装置１側にも記憶され、両機器の識別データが一致する。
【００５６】
また、スマートエントリーＣ／Ｕ２では、生体認証装置１から識別データを受信することにより、第２記憶部１６に登録されている識別データがあるか否かを判断する（ステップＳ１０７）。第２記憶部１６に登録されている識別データがなければ、生体認証装置１から受信した識別データを第２記憶部１６に記憶して新たに識別データを設定する（ステップＳ１０８）。これにより、生体認証装置１と同じ識別データがスマートエントリーＣ／Ｕ２側にも記憶され、両機器の識別データが一致する。第２記憶部１６に登録されている識別データがあれば、この識別データと受信した識別データとが対応するものであるか否かを判断する（ステップＳ１０９）。ここでは、識別データが一致しているか否かを判断する。対応していなければ、ブザー等を鳴らして警告する（ステップＳ１１０）。対応していれば、生体認証装置１に複写リクエスト信号を送信する（ステップＳ１１１）。
【００５７】
生体認証装置１では、前記複写リクエスト信号に基づいて、第１記憶部９に記憶されている全ての生体情報及びＩＤデータをスマートエントリーＣ／Ｕ２へと送信する(ステップＳ１２６）。
【００５８】
スマートエントリーＣ／Ｕ２では、生体認証装置１から送信された生体情報及びＩＤデータのそれぞれが、第２記憶部１６に記憶されたものと一致するか否かを判断する（ステップＳ１１２）。一致すれば、複写モードを終了し、一致しなければ、受信した生体情報及びＩＤデータと、第２記憶部１６に記憶されている生体情報及びＩＤデータとの差分を確認する（ステップＳ１１３）。両者に不一致があれば、本来記憶されているはずのデータが何らかの理由により消失していると考えられるので、第２記憶部１６に記憶し直す（ステップＳ１１４）。
【００５９】
また、生体認証装置１でも、スマートエントリーＣ／Ｕ２での差分確認の結果に基づいて、差分を記憶し直す（ステップＳ１２７）。
【００６０】
例えば、スマートエントリーＣ／Ｕの第２記憶部１６に（Ａ１，Ｂ１）、（Ａ２，Ｂ２）、（Ａ３，Ｂ３）のデータ（Ａを生体情報、ＢをＩＤデータとする。）が記憶されており、生体認証装置１の第１記憶部９に（Ａ２，Ｂ２）、（Ａ３，Ｂ３）、（Ａ４，Ｂ４）が記憶されている場合、第２記憶部１６では（Ａ４，Ｂ４）が差分となり、第１記憶部９では（Ａ１，Ｂ１）が差分となるので、これらをそれぞれ記憶し直すことにより、両記憶部１６、９での記憶内容を合致させる。
【００６１】
このように、前記複写モードでは、生体認証装置１の第１記憶部９に識別データが登録されていない場合、第１記憶部９を含む生体認証装置１が交換された、あるいは、第１記憶部９のデータが破壊された、あるいは、第１記憶部９に生体情報が記憶されていないと判断し、第２記憶部１６に記憶された生体情報及びＩＤデータを第１記憶部９に複写する。この構成により、生体情報を記憶し直す必要がなく、煩わしい生体認証登録の手間を省くことができる。なお、本実施形態においては、識別データの有無によって生体認証装置１の状態を判断するようにしているが、別の方法で判断するようにしてもよい。例えば、第１記憶部９に生体情報が記憶されているか否かを確認し、第１記憶部９に生体情報が登録されていなければ、第２記憶部１６に記憶されている生体情報及びＩＤデータを第１記憶部９に複写するようにしてもよい。
【００６２】
また、前記複写モードでは、スマートエントリーＣ／Ｕ２の第２記憶部１６に識別データが登録されていない場合、第２記憶部１６を含むスマートエントリーＣ／Ｕ２が交換された、あるいは、第２記憶部１６のデータが破壊された、あるいは、第２記憶部１６に生体情報が記憶されていないと判断し、第１記憶部９に記憶されている生体情報及びＩＤデータを第２記憶部１６に複写する。この構成により、スマートエントリーＣ／Ｕ２を交換した場合等でも、生体情報を登録し直す必要がなく、煩わしい生体情報登録の手間を省くことができる。
【００６３】
さらに、前記複写モードでは、生体情報及びＩＤデータの複写を開始する前に、生体認証装置１の第１記憶部９と、スマートエントリーＣ／Ｕ２の第２記憶部１６とにそれぞれ記憶させた識別データが合致するか否かを判断するようにしている。したがって、例えば、複写モードを利用して盗難者の登録情報を登録した機器を車両に設けた機器と交換し、他方側の機器に生体情報を複写して不正認証を得ようとする盗難行為に対しても、交換した機器の識別データと他方側の機器の識別データとが合致していなければ、生体情報の複写を実行不可とすることで、不正に交換された機器に登録されている生体情報が他方側の機器に複写されることを防止でき、盗難等に至ることを未然に防止することが可能となる。また、本実施形態には記載していないが、前記通常モード時の個人認証処理を行う前に、生体認証装置１及びスマートエントリーＣ／Ｕ２の各記憶部９、１６に記憶してある識別データを比較し、各識別データが対応したものでなければ、生体認証装置１の第１記憶部９に記憶してある生体情報及びＩＤデータを全て削除するように構成してもよい。このように構成すれば、不正認証を目的として生体認証装置１を盗難者の生体情報を登録した別の生体認証装置１にすり替えても、各機器の識別データが一致しないため、盗難者の生体情報は削除される。この結果、盗難者の不正認証を防止することができる。また、各記憶部８、１６にそれぞれ記憶されている生体情報及びＩＤデータの全てが合致しているか否かを確認し、合致していなければ、自動的に追加するようにしているので、常に適切な記憶状態を維持することができ、認証不良等の不具合の発生を未然に防止することが可能となる。
【００６４】
なお、前記実施形態では、生体認証装置１の第１記憶部９と、スマートエントリーＣ／Ｕ２の第２記憶部１６とに同一の識別データを記憶するようにしたが、例えば、次のようにすることも可能である。すなわち、最初に識別データを記憶させる際、その識別データを、生体認証装置１にはスマートエントリーＣ／Ｕ２を特定可能なもの、スマートエントリーＣ／Ｕ２には生体認証装置１を特定可能なものとしてもよい。
【００６５】
また、本発明の生体認証システム及び生体認証方法は、前記実施形態の構成に限定されるものではなく、種々の変更が可能である。例えば、前記実施形態では、２つの制御部１２、１９を用いて各処理を実行しているが、１つの制御部によって各処理を実行するようにしてもよい。また、本実施形態においては、転送ボタンが操作されることにより複写モードを開始しているが、例えば、前記通常モードが実施される毎に、複写モードを実行するようにしてもよい。この場合、転送ボタンの操作は不要となる。
【図面の簡単な説明】
【００６６】
【図１】本実施形態に係る生体認証システムを車両に採用した例を示すブロック図である。
【図２】図１のスマートエントリーコントロールユニットと生体認証装置の詳細を示すブロック図である。
【図３】本実施形態に係る生体認証システムに於ける登録モードの処理内容を示すフローチャートである。
【図４】図１のスマートエントリーＣ／Ｕに於けるゼネラルモードの処理内容を示すフローチャートである。
【図５】本実施形態に係る生体認証システムに於ける通常モードの処理内容を示すフローチャートである。
【図６】本実施形態に係る生体認証システムに於ける通常モードの処理内容を示すフローチャートである。
【図７】本実施形態に係る生体認証システムに於ける複写モードの処理内容を示すフローチャートである。
【図８】本実施形態に係る生体認証システムに於ける複写モードの処理内容を示すフローチャートである。
【符号の説明】
【００６７】
１…生体認証装置
２…スマートエントリーＣ／Ｕ（コントロールユニット）
３…ドア開閉ＳＷ
４…ドアロックＣ／Ｕ
５…電動ＳＴＬ
６…エンジンＣ／Ｕ
７…スタートＳＷ
８…撮像部（読取手段）
９…第１記憶部（第１の記憶手段）
１０…第１電源部
１１…第１通信部
１２…第１制御部（個人認証手段、記憶検出手段、複写手段、交換検出手段、判定手段）
１３…赤外線照射部
１４…カメラ部
１５…入出力部
１６…第２記憶部（第２の記憶手段）
１７…第２電源部
１８…第２通信部
１９…第２制御部（交換検出手段）
２０…リモコン
２１…登録ボタン
２２…消去ボタン
【図１】
0004964104.tif 000002
【図２】
0004964104.tif 000003
【図３】
0004964104.tif 000004
【図４】
0004964104.tif 000005
【図６】
0004964104.tif 000006
【図７】
0004964104.tif 000007
【図８】
0004964104.tif 000008
【図５】
0004964104.tif 000009